(57)【要約】【課題】  安価に製造でき、折り畳んだ状態を保持できる持ち運びに適した靴べらを提供し、また、飲料の景品としても使用できる靴べらを提供する。【解決手段】  材料に折り曲げ可能な板紙やプラスチック板を用いる靴べらであり、靴べらを長手方向に折り曲げ可能とするため、短手方向に折り線を設けたことを特徴とする。靴べらの一方の長手方向端部近傍に設けた差し込み口に、他方の長手方向端部を差し込むことで、靴べらが折り畳まれた状態を保持可能としたことを特徴とする。また、靴べらを、飲料容器に付帯させて飲料の景品とするために、開口部を備えた装着部を靴べらに設けたことを特徴とする【選択図】  図１
2011067393.tif 000002
【特許請求の範囲】
【請求項１】
板紙からなる長手方向に折り畳み可能な偏平長板状の靴べらであって、長手方向の端部近傍に他方の端部を差し込み可能な差し込み口を有すことを特徴とする靴べら。
【請求項２】
長手方向に少なくとも１以上の折り線を有すことを特徴とする請求項１に記載の靴べら。
【請求項３】
長手方向のいずれか一方の端部に、飲料容器の首部に装着可能な装着部が連接されていることを特徴とする請求項１または請求項２に記載の靴べら。
【請求項４】
前記装着部は、前記飲料容器の首部に装着するための開口部を有し、前記開口部には突出片が備えられたことを特徴とする請求項３記載の靴べら。
【請求項５】
前記板紙に替えて、折り曲げ性のあるプラスチック板、合成紙、不織布を用いることを特徴とする請求項１乃至４記載の靴べら。
【発明の詳細な説明】
【技術分野】
【０００１】
本発明は、板紙からなる折り畳みが可能な偏平長板状の靴べらに関するものである。携帯時には、靴べらの長手方向に対して折り畳むことができ、折り畳んだときに名刺程度の大きさになるため、名刺入れ等に入れて持ち運びができる点で携帯性に優れた靴べらに関する。また、靴べらの短手方向に折り曲げることができるため、使用時には、足の踵の形状に沿って折り曲がることで、足の踵を靴の中に入れやすい靴べらに関する。さらに、靴べらにペットボトルやアルミ缶等の飲料容器の首部に装着する装着部を設けることで、飲料の販促物としても効果的に利用できる靴べらに関する。
【背景技術】
【０００２】
通常、靴べらは、靴を履く際に足の踵を靴の中に入れやすくするために用いられる。そのため、足の踵を靴の中に入れやすくするために、靴べらが足の踵を安定して支えることができるようにすることが必要である。よって、靴べらの形状は足の踵の形状に応じて屈曲又は湾曲等することが求められ、必然的に靴べらの形状は立体的な形状になり、それが故にポケット等に入れて持ち運ぶ場合には邪魔になり、携帯性に優れないものも多い。
【０００３】
一方、近年では靴べらとして使用しないときは、携帯性を考慮しカード状の平板体であるが、靴べらとして使用するときには湾曲変形するものもある（特許文献１参照）。すなわち、靴べらに設けられた切り込みによって、靴べらが湾曲変形し、靴べらが足の踵を安定して支えることで、足の踵をスムーズに靴内部に導くことができるようにしたものである。
【０００４】
なお、靴を履きやすくするという靴べらの通常の機能に、付加価値を提供することで、靴べら自体の利用価値を向上させるものも提案されている（特許文献２参照）。すなわち、靴を履くときに使用するという靴べらの通常の使用方法以外の使用方法として、脱いだ靴の縁に靴べらを挟んでおくことで、持ち主の目印の役割を果たすものである。
【０００５】
ところで、近年、抽出口（飲み口）が容器本体よりも細いペットボトルやアルミ缶等の飲料容器が普及している。そこで、飲料としての付加価値を付けるために、このような飲料容器に種々の景品を添付して販売することがよくあり、消費者への訴求力を考慮して、魅力ある景品を飲料容器に付して販売することが求められている（特許文献３参照）。その場合、景品を飲料容器に付帯させるために、景品を収納でき飲料容器の首部に差し込み可能な孔を有すボトルネッカーを利用するものがある。
【先行技術文献】
【特許文献】
【０００６】
【特許文献１】登録実用新案第３０１１５５６号公報
【特許文献２】特開２００２−１６５６９５号公報
【特許文献３】特開２００３−１９１９５９号公報
【発明の概要】
【発明が解決しようとする課題】
【０００７】
しかしながら、靴べらを足の踵の形状に合わせて屈曲又は湾曲等させるために、靴べらの材料に弾性シートを用いると靴べら自体が高価なものとなる。そこで、安価な材料で、足の踵の形状に合わせやすい靴べらを作ることが求められている。また、靴べら自体の利用価値を向上させるために、靴べらの通常の機能だけでなく、靴べらに付加価値を与えることが求められている。
【０００８】
上記のような点に鑑み、本発明は、靴べらの材料として板紙やプラスチック板等を用いることで安価で加工しやすい靴べらを提供することを課題とする。また、靴べらに付加価値を与えるために、抽出口（飲み口）が容器本体よりも細い、ペットボトルやアルミ缶等の飲料容器の首部に装着可能にすることで、靴べらを飲料の景品としても利用できるようにすることを課題とする。
【課題を解決するための手段】
【０００９】
上記課題を解決するため、本発明では、板紙からなる長手方向に折り畳み可能な偏平長板状の靴べらであって、長手方向の端部近傍に他方の端部を差し込み可能な差し込み口を有すことを特徴とする靴べら、を提供する。
【００１０】
本発明の靴べらによれば、材料を板紙にすることで安価な靴べらを提供することができる。また、長手方向に靴べらを折り畳んで小さくすることが可能である。折り畳んだ際に、一方の長手方向端部に設けられた差し込み口に他方の長手方向の端部を差し込むことで、靴べらを折り畳んだ状態で保持可能であり持ち運ぶときの携帯性に優れている。さらに、折り畳んだときの靴べらの大きさを、名刺入れや定期入れ等に入れて持ち運びすることができる名刺程度の大きさにすることで持ち運びの邪魔にならず、携帯性をさらに高めることができる。
【００１１】
また、本発明では、前記靴べらにおいて、長手方向に少なくとも１以上の折り線を有すことを特徴とする。
【００１２】
本発明の靴べらによれば、長手方向に設けられた折り線によって、靴べらを短手方向に折り曲げることが可能となる。すなわち、靴べらを足の踵の形状に応じて「コ」の字型（折り線が２本の場合）や「V」の字型（折り線が１本の場合）に屈曲させることができ、靴を履きやすくすることができる。
【００１３】
また、本発明では、前記靴べらにおいて、長手方向のいずれか一方の端部に、飲料容器の首部に装着可能な装着部を連接したことを特徴とする。
【００１４】
本発明の靴べらによれば、靴べらに連接された装着部を用いて、ペットボトルやアルミ缶等の飲料容器の飲み口や注ぎ口となる首部に、靴べらを装着することができる。すなわち、靴べらを飲料の景品として利用することができる。
【００１５】
また、本発明では、前記靴べらにおいて、前記装着部は、前記飲料容器の首部に装着するための開口部を有し、前記開口部には突出片が備えられたことを特徴とする。
【００１６】
本発明の靴べらによれば、装着部には開口部が設けられており、開口部に飲料容器の首部を通すことで靴べらを飲料容器に付帯させることができる。また、靴べらが脱落するのを防止するために、開口部には突出片が設けられている。突出片は開口部の中心に向って突出しており、突出片が飲料容器の蓋や栓の下部に引っかかることで、開口部から飲料容器の首部が抜け、靴べらが飲料容器から脱落するのを防止することができる。
【００１７】
また、本発明では、前記靴べらにおいて、前記板紙に替えて、折り曲げ性のあるプラスチック板、合成紙、不織布を用いることを特徴とする。
【００１８】
本発明の靴べらによれば、靴べらの材料は、折り曲げが可能で一定の強度を持てば良く、板紙のほか、プラスチック板、合成紙、不織布を用いることができる。
【発明の効果】
【００１９】
本発明によれば、靴べらの材料に板紙やプラスチック板を用いることで安価に製造できる。また、靴べらを折り畳み名刺程度の大きさにすることで携帯性に優れ、かつ、一方の端部を他方の端部に固定できるため、折り畳んだ状態を維持したまま持ち運ぶことができるため携帯性をより一層増している。また、靴を履く際に足の踵が最初に接する靴べらの長手方向の中央部近辺の幅を広くすることで、足の踵を安定して支えることができる。また、靴べらの長手方向の折れ線に沿って屈曲させることで足の踵を挟持した状態でスムーズに靴に入れることができる。さらに、靴べらに連接された装着部を介して靴べらをぺットボトルやアルミ缶等の飲料に装着することで、靴べらを景品とすることもできる。
【図面の簡単な説明】
【００２０】
【図１】本発明の靴べらの実施例を示す正面図
【図２】本発明実施例の靴べらを短手方向に折り曲げた状態を示す斜視図
【図３】本発明実施例の靴べらの把持部および挿入部を示す正面図
【図４】本発明実施例の靴べらの差し込み口の変形例を示す正面図
【図５】本発明実施例の靴べらを長手方向に折り曲げた状態を示す正面図
【図６】本発明実施例の靴べらの長手方向の折れ線の変形例を示す正面図
【図７】装着部を備えた本発明実施例の靴べらを示す正面図
【図８】本発明実施例の靴べらの切断線の変形例を示す正面図
【図９】本発明実施例の靴べらの切断線の変形例を示す正面図
【発明を実施するための形態】
【００２１】
以下、本発明の好適な実施形態について、図面を参照して詳細に説明する。
図１は、本発明の靴べらの実施例を示す正面図である。図２は、本発明実施例の靴べらを短手方向に折り曲げた状態を示す斜視図である。長手方向に折り線が２本入っている靴べらを、折り線に沿って短手方向に折り曲げた状態を示している。図３は、本発明実施例の靴べらの把持部および挿入部を示す正面図である。図３（ａ）が把持部を示す図であり、図３（ｂ）は挿入部を示す図である。図４は、本発明実施例の靴べらの差し込み口の変形例である。図４（ａ）は切れ込みが直線状に設けられている状態を示す図であり、図４（ｂ）は長手方向端部に向けて切れ込みが弧を描くように設けられている状態を示す図である。図５は、本発明実施例の靴べらを長手方向に折り曲げた上体を示す正面図である。把持部に設けられた差し込み口に挿入部の端部が差し込まれた状態を示している。図６は、本発明実施例の靴べらの長手方向の折れ線の変形例を示す正面図であり、把持部の長手方向端部から挿入部の長手方向端部に向けて、折り線が放射状に設けられている状態を示している。図７は、装着部を備えた本発明実施例の靴べらを示す正面図である。図８および図９は、本発明実施例の靴べらの切断線の変形例を示す正面図である。図８は切断線の両端が切り欠き状になっており、図９はミシン目線上に小さな円が設けられている。
【００２２】
図１に示すように、本発明の実施形態に係る靴べら１は、一枚の板紙からなり、靴べらの短手方向に設けられた折り線１０４を軸として、長手方向に折り曲げ可能である。靴べら１は、折り線１０４を境界線として、差し込み口１０１を備える把持部１０５と靴に挿入される挿入部１０６とから形成されている。また、短手方向に折り曲げ可能とするために、長手方向に折り線１０２と折り線１０３が並行に設けられている。靴べら１は、一枚の板紙から形成される。板紙を靴べら１の形状に合わせて打ち抜いて折り線を形成するだけで製造できるため、安価かつ簡易に製造することができる。また、図２に示すように、長手方向に設けられた折り線１０２および１０３を折り曲げて「コ」の字型にすることで、足の踵を保持しやすくなり、足の踵を靴に入れやすくなる。なお、長手方向及び短手方向に設けられた折り線は、いずれも靴べらを折り曲げやすくするために筋押しによって設けられた折り筋である。
【００２３】
長手方向の折り線は、２本である必要は無く、１本でも３本以上であっても構わない。ただし、短手方向に折り曲げることを考慮すると、３本以下が適している。また、長手方向の折り線が１本の場合は、短手方向に折り曲げることを考慮すると、短手方向の中心を折り線が通るようにすることが望ましい。一方、長手方向の折り線が複数の場合は、図１に示すように複数の折り線が並行である必要はなく、図６に示すように、把持部１０５の長手方向端部近傍から挿入部１０６の端部近傍に向けて、折り線が放射状に広がるように設けても良い。
【００２４】
把持部１０５は、靴を履くときに手のひらによって持たれる部分である。図３（ａ）に示すように、把持部１０５は、湾曲する先端部１０５aと、平行な辺である１０５ｂおよび１０５ｃと、折り線１０４に向って幅が広がるように設けられた辺１０５ｄおよび１０５ｅと、折り線１０４によって囲まれた部分である。把持部１０５の短手方向の幅は、折り線１０４が設けられた箇所が最も広くなる。
【００２５】
挿入部１０６は、靴の中に挿入する部分である。図３（ｂ）に示すように、挿入部１０６は、湾曲する先端部１０６ａと、平行な辺１０６ｂおよび１０６ｃと、折り線１０４に向って幅が広がるように設けられた１０６ｄおよび１０６ｅと、折り線１０４によって囲まれた部分である。挿入部１０６の短手方向の幅であるが、折り線１０４が設けられた箇所が最も広くなる。
【００２６】
なお、把持部１０５と挿入部１０６の長手方向の長さは、靴べらを長手方向に折り曲げたときに、挿入部１０６の端部が把持部１０５に設けられた差し込み口１０１に差し込まれるため、挿入部１０６の長手方向の長さは、把持部１０５の長手方向の長さよりも短くなっている。
【００２７】
差し込み口１０１は、把持部１０５の長手方向の端部近傍に設けられた切れ込みである。差し込み口１０１には、靴べら１を折り畳んだときに挿入部１０６の長手方向端部が差し込まれ、靴べら１が折り畳まれた状態を保持できるようになっている。差し込み口１０１の形状は、挿入部１０６の端部を差し込みやすいように、折り線１０４に向けて突出する舌片が形成されている。差し込み口１０１の両端部は弧を描いており、挿入部１０６の端部を差し込んでも、差し込み口１０１の端部が破れにくいようになっている。なお、差し込み口１０１は、靴べらが折り畳まれた状態が保持できる形状であれば良く、舌片状に形成されるほか、直線状であってもよく（図４（ａ））、また、把持部１０５の長手方向端部に向けて丸みが形成される形状であっても構わない（図４（ｂ））。なお、差し込み口１０１は挿入部１０６の端部を差し込むために一定の幅が必要であり、本実施例においては、折れ線１０２及び折り線１０３に跨るように形成されている。また、差し込み口１０１の端部は弧を描く他、破れにくい形状であれば良く、図４（ａ）に示すように直径が１ｍｍ程度の小さな円が打ち抜かれた形状であっても構わない。
【００２８】
靴べら１の材料は、折り曲げが可能で一定の強度を持てば良く、板紙のほか、プラスチック板、合成紙、不織布を用いることができる。本実施形態において、紙板材料としては、斤量２６．５ｋｇで厚みが０．３４ｍｍの四六版を用いている。プラスチック板を使用する場合は、ポリエチレンテレフタレート（ＰＥＴ）板やポリプロピレン（ＰＰ）板、ポリエチレン板や硬質の塩化ビニル板等を使用できる。厚みは打ち抜き加工や筋押し加工が容易にできる０．０５ｍｍから０．５ｍｍ程度のものを使用する。
【００２９】
図５は、靴べら１を長手方向に折り畳んだ状態を示している。差し込み口１０１に挿入部１０６の長手方向端部を差し込んでいる。図中の手前に挿入部１０６があり、挿入部の後ろに把持部１０５がある。靴べら１は、折り畳んだ状態で名刺程度の大きさ（横９１ｍｍ、縦５５ｍｍ）になるようにすることで、定期入れや名刺入れに入れて容易に持ち運びが可能となる。
【００３０】
本実施例において、靴べら１の長手方向の長さは１５９ｍｍであり、把持部１０５の長さが８５ｍｍであり、挿入部１０６の長さが７４ｍｍである。長手方向に平行に設けられた折り線１０２と１０３の間は２１ｍｍである。また、把持部１０５の長手方向端部から差し込み口１０１の舌片の先端間での長さは１５ｍｍである。また、長手方向端部の幅は、把持部の並行な辺１０５ｂと１０５ｃの間の幅が４６ｍｍであり、同様に挿入部の平行な辺１０６ｂと１０６ｃの間の幅も４６ｍｍである。また、短手方向に設けられた折り線１０４の長さは５３ｍｍである。
【００３１】
次に、図７について説明する。図７に示すように、本発明の実施例に係る靴べら２は一枚の板紙からなる。靴べら２は、差し込み口２０１を備える把持部２０５、靴に挿入される挿入部２０６に加え、ペットボトルやアルミ缶等の飲料容器の首部に装着可能な装着部２０７とから形成されている。靴べら２は、折り線２０４により把持部２０５と挿入部２０６が区分され、また、ミシン目線である切断線２１０により装着部２０７と把持部２０５が区分される。
【００３２】
靴べら２に備えられた装着部２０７は、切断線２１０に沿って靴べら２から切り離すことができる。これにより、靴べら２が装着された飲料を購入した消費者が、靴べら本来の機能とは関係ない箇所である装着部２０７を切り取り、靴べらとして活用することができる。なお、本実施例においては、装着部２０７は把持部２０５と連接していたが、装着部２０７は挿入部２０６と連接されていてもよい。また、装着部２０７が連接される場所は、把持部２０５または挿入部２０６の長手方向端部に限られず、把持部２０５または挿入部２０６のいずれの場所であっても良い。また、本実施例においては、切断線２１０はミシン目線であったが、ミシン目線以外でも切り離しが容易であれば良く、図８に示すように両端に切り欠き部を有する切断線であってもよく、また、図９に示すように、ミシン目線上に直径が１ｍｍ程度の複数の小さな円が打ち抜き加工されており、装着部２０７をむしり取り易い形状にされていてもよい。
【００３３】
靴べら２は、短手方向に設けられた折り線２０４を軸に長手方向に折り曲げ可能である。また、短手方向に折り曲げ可能とするために、長手方向に折り線２０２と折り線２０３を備えている。靴べら２は、一枚の板紙から形成されることで、板紙を靴べら２の形状に合わせて打ち抜いて折れ線を形成するだけで製造できるため、安価かつ簡易に製造することができる。なお、差し込み口２０１は、図１または図３において説明する差し込み口１０１と同一であり、長手方向の折り線２０２および２０３は、図１または図６において説明する折り線１０２および１０３と同一である。また、短手方向に設けられた折り線２０４は、図１で説明する折り線１０４と同一である。また、靴べら２の材料は靴べら１と同一である。同一の部分については、説明を省略する。
【００３４】
装着部２０７は、飲料容器の首部に装着可能な円形状の開口部２０８を有する。ここで、靴べら２を装着する飲料容器は、靴べら２を保持できるように、首部である抽出口（飲み口）が飲料容器の本体よりも細い形状であることが必要である。例えば、ペットボトルやビール瓶といった容器の他、アルミ缶、切妻屋根型紙容器に抽出口が設けられている容器も該当する。また、開口部２０８には、靴べら２が飲料容器から脱落しないように、開口部２０８の中心に向って突出する４つの突出片２０９が設けられている。この突出片２０９が、飲料容器の蓋（例えばペットボトルやアルミ缶のキャップ、ビール瓶の栓等）の下部に引っ掛ることによって、飲料容器に装着された靴べら２が脱落しにくくなる。
【００３５】
開口部２０８は、飲料容器の首部に通す部分であり、円形状に限らず、飲料容器の首部に保持可能であれば、三角形や四角形などの多角形であってもよい。
【００３６】
突出片２０９は、靴べら２を飲料容器の首部から脱落しにくくするために設けられており、少なくとも１つ以上備えられていればよい。
【００３７】
本実施例において、靴べら２の長手方向の長さは２５０ｍｍであり、把持部２０５の長さが９９ｍｍであり、挿入部２０６の長さが７４ｍｍであり、装着部２０７の長さが７７ｍｍである。装着部２０７の短手方向の幅は５０ｍｍである。
【産業上の利用可能性】
【００３８】
本発明に係る靴べらは、折り畳んだ状態を保持できる携帯性に優れた靴べらであり。また、靴べらを飲料容器に付帯可能とすることで飲料の景品にも利用できる靴べらである。
【符号の説明】
【００３９】
１、２・・・靴べら
１０１、２０１・・・差し込み口
１０２、１０３、２０２、２０３・・・長手方向に設けられた折り線
１０４、２０４・・・短手方向に設けられた折り線
１０５、２０５・・・把持部
１０６、２０６・・・挿入部
２０７・・・装着部
２０８・・・開口部
２０９・・・突出片
２１０・・・切断線
【図１】
2011067393.tif 000003
【図３】
2011067393.tif 000004
【図４】
2011067393.tif 000005
【図５】
2011067393.tif 000006
【図６】
2011067393.tif 000007
【図７】
2011067393.tif 000008
【図８】
2011067393.tif 000009
【図９】
2011067393.tif 000010
【図２】
2011067393.tif 000011